(57)【要約】【課題】  求める人のみに広告の詳細な情報を確実且つ効率的に提供するための広告承諾受付装置を提供する。【解決手段】  広告を表示するディスプレイ装置に非接触型のＩＣカードリーダ４を内蔵し、その広告面に同広告の詳細を希望する人に対してカード識別番号の情報が格納されたＩＣカード６を前記ＩＣカードリーダ４の読み取り位置に接触することを指示する表記をし、同ＩＣカードリーダ４で取得したカード識別番号から利用者の配信先情報を検索するシステムへカード識別番号を送信できるようにしている。従って、ＩＣカード６を接触させた人は広告の詳細情報の配信を承諾したことになるから、配信を受けた人は不快感を伴うことがなく、広告主も情報を確実且つ効果的に提供できる。【選択図】          図１ 
0003101952.tif 000002
【実用新案登録請求の範囲】
【請求項１】
広告を表示するディスプレイ装置に非接触型のＩＣカードリーダを取り付け、ディスプレイ装置に表示される広告画面又はその周辺面に同広告の詳細を希望する利用者に対してカード識別番号が格納されたＩＣカードを前記ＩＣカードリーダの読み取り位置に接触することを指示する表記をし、同ＩＣカードリーダで取得したカード識別番号から広告の詳細配信を承諾した利用者の配信先情報を検索して配信する広告配信システムへカード識別番号を送信できるようにしたことを特徴とする広告配信受付装置。
【請求項２】
ディスプレイ装置の広告画面に複数の異なる広告を表示し、同各広告の配信要求を選択できるスイッチをディスプレイ装置に設けた請求項１記載の広告配信受付装置。
【請求項３】
ディスプレイ装置の広告画面に求める広告の詳細度に応じて複数用意した形態の広告情報を選択できる見出しを表示し、同見出しを選択するスイッチをディスプレイ装置に設けた請求項１又は２記載の広告配信受付装置。
【請求項４】
ディスプレイ装置の広告画面に利用者の個人情報を広告主に開示することを承諾又は個人情報を広告主に渡さないで広告情報を入手できるようにする意志表示を選択できる見出しを表示し、同見出しを選択するスイッチをディスプレイ装置を設けた請求項１〜３いずれか記載の広告配信受付装置。
【請求項５】
ディスプレイ装置の広告画面に予め利用者が登録しておいた複数の異なる配信先又は配信手段を選択できる見出しを表示し、同見出しを選択するスイッチをディスプレイ装置に設けた請求項１〜４いずれか記載の広告配信受付装置。
【請求項６】
ディスプレイ装置に自動音声や音楽を流すスピーカーを設けた請求項１〜５いずれか記載の広告配信受付装置。
【請求項７】
ディスプレイ装置のスイッチが、タッチスクリーン又は押しボタンである請求項１〜６いずれか記載の広告配信受付装置。
【請求項８】
広告配信システムをディスプレイ装置に内蔵した請求項１〜８いずれか記載の広告配信受付装置。
【請求項９】
ＩＣカードリーダの読み取り位置にＩＣカードを接触することを指示する表記が、読み取り位置を示す枠線とその近辺に指示の文章を並記したものである請求項１〜８いずれか記載の広告配信受付装置。
【請求項１０】
ディスプレイ装置に表示される広告画面又はその周辺面に非接触型のＩＣカードを用いた広告配信システムの利用方法及び同ＩＣカードの発行手続の案内を示す文章を表記した請求項１〜９いずれか記載の広告配信受付装置。
【考案の詳細な説明】
【技術分野】
【０００１】
本考案は広告媒体に関し、詳しくはその広告を見て詳細を希望する利用者からの詳細情報の配信要求を受け付ける広告配信受付装置に関する。
【背景技術】
【０００２】
従来、広告媒体としてはテレビやラジオによる放送が主体である。近年ではインターネットの普及に伴い、サイト上に広告バナーや広告のポップアップウィンドウを表示したり電子メールで広告を配信することも行なわれている。
【０００３】
ところで、前記広告は不特定多数の人を対象としたもので、特定の人が求める詳細な情報を提供しているものではない。また、詳細情報を一律に提供するのは無駄であり効率的ではない。さらに、これらの広告は広告主が一方的に送り付けているいわゆる未承諾広告であり、見る人にとっては不快感を伴う場合がある。
【特許文献１】特開２００１−５８７１号公報
【特許文献２】特開２００１−３３８２１７号公報
【考案の開示】
【考案が解決しようとする課題】
【０００４】
本考案が解決しようとする課題は、従来のこれらの問題点を解消し、求める人のみに広告の詳細な情報を確実且つ効率的に提供するための広告配信受付装置を提供することにある。
【課題を解決するための手段】
【０００５】
かかる課題を解決した本考案の構成は、
１）  広告を表示するディスプレイ装置に非接触型のＩＣカードリーダを取り付け、ディスプレイ装置に表示される広告画面又はその周辺面に同広告の詳細を希望する利用者に対してカード識別番号が格納されたＩＣカードを前記ＩＣカードリーダの読み取り位置に接触することを指示する表記をし、同ＩＣカードリーダで取得したカード識別番号から広告の詳細配信を承諾した利用者の配信先情報を検索して配信する広告配信システムへカード識別番号を送信できるようにしたことを特徴とする広告配信受付装置
２）  ディスプレイ装置の広告画面に複数の異なる広告を表示し、同各広告の配信要求を選択できるスイッチをディスプレイ装置に設けた前記１）記載の広告配信受付装置
３）  ディスプレイ装置の広告画面に求める広告の詳細度に応じて複数用意した形態の広告情報を選択できる見出しを表示し、同見出しを選択するスイッチをディスプレイ装置に設けた前記１）又は２）記載の広告配信受付装置
４）  ディスプレイ装置の広告画面に利用者の個人情報を広告主に開示することを承諾又は個人情報を広告主に渡さないで広告情報を入手できるようにする意志表示を選択できる見出しを表示し、同見出しを選択するスイッチをディスプレイ装置を設けた前記１）〜３）いずれか記載の広告配信受付装置
５）  ディスプレイ装置の広告画面に予め利用者が登録しておいた複数の異なる配信先又は配信手段を選択できる見出しを表示し、同見出しを選択するスイッチをディスプレイ装置に設けた前記１）〜４）いずれか記載の広告配信受付装置
６）  ディスプレイ装置に自動音声や音楽を流すスピーカーを設けた前記１）〜５）いずれか記載の広告配信受付装置
７）  ディスプレイ装置のスイッチが、タッチスクリーン又は押しボタンである前記１）〜６）いずれか記載の広告配信受付装置
８）  広告配信システムをディスプレイ装置に内蔵した前記１）〜８）いずれか記載の広告配信受付装置
９）  ＩＣカードリーダの読み取り位置にＩＣカードを接触することを指示する表記が、読み取り位置を示す枠線とその近辺に指示の文章を並記したものである前記１）〜８）いずれか記載の広告配信受付装置
１０）  ディスプレイ装置に表示される広告画面又はその周辺面に非接触型のＩＣカードを用いた広告配信システムの利用方法及び同ＩＣカードの発行手続の案内を示す文章を表記した前記１）〜９）いずれか記載の広告配信受付装置
にある。
【考案の効果】
【０００６】
本考案によれば、ＩＣカードを接触させた利用者は広告の詳細情報の配信を承諾したことになるから、配信を受けた人は不快感を伴うことなく希望する広告情報のみを受け取ることができ、広告主も求める人に対して情報を確実且つ効率的に提供することができる。また、実際に興味を持った利用者のみへ配信するから、従来の一方的な広告配信と比較してレスポンス率が高い。また、個人情報を開示することを選択した利用者を自社の会員とすることができ、この広告以外の他の情報やクーポンなどの配信ができて大きなメリットがある。
【考案を実施するための最良の形態】
【０００７】
本考案のディスプレイ装置は、ＣＲＴ（ブラウン管）や液晶パネルを用いたもので構成され、複数の広告見出しから任意の広告を選択表示できるようにタッチスクリーンや押しボタンを備えたものが望ましい。表示される広告面又はその周辺面にはＩＣカードリーダの読み取り位置を示す枠線などを表記して接触面を認識させ易いようにする。
【０００８】
ＩＣカードリーダは市販されているものが用いられ、ＲＳ−２３２ＣやＵＳＢ等の有線又は無線によりコンピュータと接続して信号を送信できるようにし、ディスプレイ装置に内蔵させる。ＩＣカードは不揮発性のメモリを備えたもので、同メモリに所持者のカード識別番号が記憶される。以下、本考案の実施例を図面に基づいて具体的に説明する。
【実施例１】
【０００９】
図１は実施例の広告配信受付装置の正面図及び広告配信システムの概念図、図２は実施例の広告配信受付装置の操作盤の説明図、図３は実施例の広告配信受付装置の側面図である。図中、１は広告配信受付装置、１ａはスピーカー、２はＣＲＴ画面、２ａは広告、２ｂは案内文、３は操作盤、３ａはテンキー、３ｂは枠線、３ｃは指示文、３ｄは選択ボタン、３ｅは表示部、３ｆは選択スイッチ部、４はＩＣカードリーダ、５は広告情報再生機、５ａはコンピュータ、６はＩＣカード、７はパーソナルコンピュータ、８は携帯電話機、９はＦＡＸ、１０はプリンタ、１１は郵便物、１２はＩＣカードライタである。
【００１０】
本実施例の広告配信受付装置１は、図２，３に示すようにＣＲＴ画面２と操作盤３を備えており、複数の広告見出しを並記表示し、利用者が所望の見出しをテンキー３ａで選択操作して任意の広告画面に切換又はスクロール表示したり、選択ボタン３ｄで受け取る情報の形態，その配信手段，広告主への個人情報を送信の承諾又は広告主への個人情報送信拒否などを選択操作できるようになっている。
【００１１】
ＩＣカードリーダ４（商品名：ＲＣ−Ｓ３１０，ソニー株式会社製等）は操作盤３中に内蔵されており、テンキー３ａの隣接位置にＩＣカードリーダ４の読み取り位置を示す枠線３ｂとその枠線３ｂ内へのＩＣカード６の接触を指示する指示文３ｃが表記されている。選択ボタン３ｄは図２に示すようにそれぞれに対応するパネル式の選択スイッチ部３ｆで構成されており、質問の内容に応じて取り換え可能としている。
【００１２】
広告配信受付装置１内には、ＣＲＴ画面２に複数の広告２ａと広告配信システムの利用方法及びＩＣカードの発行手続等についての案内文２ｂを再生表示するＤＶＤプレーヤー（商品名：ＰＲＶ−Ｒ５５，パイオニア株式会社製等）からなる広告情報再生機５と同広告情報再生機５を制御するコンピュータ５ａを内蔵している。コンピュータ５ａにはＩＣカードリーダ４の制御プログラムと電子メールプログラムが組み込まれ、ＦＡＸ９やプリンタ１０が接続されている。
【００１３】
ＩＣカード６は利用者が所望のサービスを受けるために広告主と提携するカード発行機関で加入手続きして発行され、ＩＣカードライタ１２（商品名：ＲＣ−Ｊ１Ｃ，ソニー株式会社製等）でＩＣカード６のメモリ内にカード識別番号が書き込まれるとともに、その利用者の個人情報（カード識別番号，電子メールアドレス，ＦＡＸ番号，住所等）がコンピュータ５ａに格納されてデータベースが構築される。
【００１４】
本実施例では、図１に示すようにＩＣカード６を所持する利用者が広告配信受付装置１の広告を見て詳細な情報を希望する場合、指示文３ｃに従いＩＣカード６を枠線３ｂに囲まれた部分に１回タッチする。この際、利用者は選択ボタン３ｄでカテゴリーや欲しい情報の形態，配信先又はその手段，広告主への個人情報を送信承諾又は広告主への個人情報送信拒否などを選択しておく。ＩＣカードリーダ４はＩＣカード６の接触を検出し、ＩＣカード６のメモリ内に記憶されているカード識別番号を瞬時に読み出して選択表示されている広告に該当するビデオ番号及び前記選択ボタン３ｄの選択情報とともにコンピュータ５ａに送信する。
【００１５】
コンピュータ５ａは取得したカード識別番号からデータベース内の利用者の個人情報を検索し、前記選択情報に従って電子メールアドレスを電子メールプログラムの送信先に設定してビデオ番号に対応する広告の詳細情報を求める形態で付して配信するか又はＦＡＸ送信又はプリンタ１０で出力して郵送し、利用者は所有するパーソナルコンピュータ７又は携行する携帯電話機８又はＦＡＸ９で受信、あるいは郵便物１１を受け取り、詳細情報を見る。
【００１６】
本実施例はこのように構成したから、ＩＣカード６を接触させた利用者は広告の詳細情報の配信を承諾したことになるから、配信を受けた人は不快感を伴うことなく希望する広告情報のみを受け取ることができ、広告主も情報を確実且つ効率的に提供してレスポンス率の向上を図ることができるようになる。また、個人情報を開示することを選択した利用者を自社の会員とすることができ、この広告以外の他の情報やクーポンなどの配信ができて大きなメリットがある。
【産業上の利用可能性】
【００１７】
本考案の広告配信受付装置は、各種の商品，サービス，観光地，ホテル，飲食店，イベントその他様々な広告宣伝に応用でき、駅構内，街頭，店舗，イベント会場等に配置して利用される。
【図面の簡単な説明】
【００１８】
【図１】実施例の広告配信受付装置の正面図と広告配信システムの概念図である。
【図２】実施例の広告配信受付装置の操作盤の説明図である。
【図３】実施例の広告配信受付装置の側面図である。
【符号の説明】
【００１９】
１  広告配信受付装置
１ａ  スピーカー
２  ＣＲＴ画面
２ａ  広告面
２ｂ  案内文
３  操作盤
３ａ  テンキー
３ｂ  枠線
３ｃ  指示文
３ｄ  選択ボタン
３ｅ  表示部
３ｆ  選択スイッチ部
４  ＩＣカードリーダ
５  広告情報再生機
５ａ  コンピュータ
６  ＩＣカード
７  コンピュータ
８  携帯電話機
９  ＦＡＸ
１０  プリンタ
１１  郵便物
１２  ＩＣカードライタ
【図１】
0003101952.tif 000003
【図２】
0003101952.tif 000004
【図３】
0003101952.tif 000005